(57)【特許請求の範囲】
【請求項１】
縫製模様やその縫製模様を仕切って表示するための仕切を表示するためのデータを記憶する外部メモリから、データを読み出して前記縫製模様に関わる表示を行う縫製情報表示装置において、
前記縫製模様を表示する表示形式或いは表示手段が異なる縫製情報表示装置と共用される外部メモリからデータを読み込む読込手段と、
前記読込手段によって読み込まれたデータに基づき前記縫製模様を表示する縫製模様表示手段と、
前記縫製模様表示手段に対して予め設定され、前記外部メモリに記憶されているデータによる仕切とは異なる別の仕切を表示する仕切表示手段とを備え、
前記読込手段によって読み込まれたデータの示す前記縫製模様を仕切るように前記別の仕切を表示することを特徴とする縫製情報表示装置。
【請求項２】
縫製模様やその縫製模様を仕切って表示するための仕切を表示するために、その縫製模様及び複数種類の仕切を表示するためのデータを記憶する外部メモリから、データを読み出して前記縫製模様に関わる表示を行う縫製情報表示装置であって、
前記縫製模様を表示する表示形式或いは表示手段が異なる縫製情報表示装置と共用される外部メモリからデータを読み込む読込手段と、
前記読込手段によって読み込まれたデータに基づき前記縫製模様を表示する縫製模様表示手段と、
前記外部メモリに記憶されている仕切に関わる複数のデータのうち、前記縫製模様表示手段に適応する仕切のデータに基づき仕切を表示する仕切表示手段とを備え、
前記読込手段によって読み込まれたデータの示す前記縫製模様を仕切るように前記縫製模様表示手段に適応する仕切を表示することを特徴とする縫製情報表示装置。
【請求項３】
前記仕切表示手段は、投影画法に基づく仕切を表示することを特徴とする請求項１または２記載の縫製情報表示装置。
【発明の詳細な説明】
【０００１】
【発明の属する技術分野】
本発明は、縫製模様やその縫製模様を仕切って表示するための仕切を表示するためのデータを記憶する外部メモリから、データを読み出して縫製模様に関わる表示を行う縫製情報表示装置に関する。
【０００２】
【従来の技術】
従来より、そのような縫製情報表示装置は、図６に示すように、ミシンに備えられ、その表示画面３９の前面に配置されたタッチパネルを押圧することによって様々な入力が可能となっている。そして、図７及び８に示すように、表示画面３９に表示される模様４０は、その模様４０を囲んで仕切る枠４２と共に表示され、その枠４２によって囲まれる範囲がその模様４０を選択するためのキー４４として働くようにタッチパネルが制御され、その枠４２によって模様４０のキー４４の範囲の境が視認可能になっていた。その模様４０や枠４２を表示するためのデータ等は外部メモリ４５に記憶されていて、ミシン作成後、ミシンに新たな模様４０を次々に供給できるように構成されている。また、ミシンは当初、図６に示すような小型の表示画面３９を備えていたため、その限られた表示面積にできるだけ多くの模様４０を詳細に表示するために、キー４４の範囲を示す枠４２はできるだけ細い細線で表示していた。
【０００３】
【発明が解決しようとする課題】
しかしながら、１つの外部メモリに記憶される模様数を増加させ、一画面に従来より多くの模様４０を見易く表示することが要望されているので、図９に示すように、大型の表示画面４８を持つミシンが必要となっている。このような大型の表示画面４８を有するミシンで、小型な表示画面３９のために作られたデータを記憶する外部メモリ４５を使うと、図９に示すように、一画面で模様を多く表示できるが、一画面の面積やそこに表示される模様の数が増加したため、各キーの識別が細線の境では困難になるという問題点があった。また、従来のような細線による均一な枠は平坦にキーが見えるために、キーの識別がしづらいという問題点があった。
【０００４】
本発明は、上述した問題点を解決するためになされたものであり、縫製模様表示装置と仕切との対応をとり、縫製模様を区別しやすい縫製情報表示装置を提供することを目的とする。
【０００５】
【課題を解決するための手段】
この目的を達成するために、請求項１記載の縫製情報表示装置は、縫製模様を表示する表示形式或いは表示手段が異なる縫製情報表示装置と共用される外部メモリからデータを読み込む読込手段と、読込手段によって読み込まれたデータに基づき縫製模様を表示する縫製模様表示手段と、縫製模様表示手段に対して予め設定され、外部メモリに記憶されているデータによる仕切とは異なる別の仕切を表示する仕切表示手段とを備えている。従って、読込手段によって読み込まれたデータの示す縫製模様を仕切るように、別の仕切が縫製模様表示手段で表示される。
【０００６】
請求項２記載の縫製情報表示装置は、縫製模様を表示する表示形式或いは表示手段が異なる縫製情報表示装置と共用される外部メモリからデータを読み込む読込手段と、読込手段によって読み込まれたデータに基づき縫製模様を表示する縫製模様表示手段と、外部メモリに記憶されている仕切に関わる複数のデータのうち、縫製模様表示手段に適応する仕切のデータに基づき仕切を表示する仕切表示手段とを備えている。従って、読込手段によって読み込まれたデータの示す縫製模様を仕切るように、縫製模様表示手段に対応する仕切が表示される。
【０００７】
請求項３記載の縫製情報表示装置は、投影画法に基づく仕切を表示する仕切表示手段を備え、投影画法により仕切が立体的に表示される。
【０００８】
【０００９】
【発明の実施の形態】
以下、本発明の実施の形態について図面を参照して説明する。
【００１０】
図１に示すように、ミシンＭの前面部には、従来より大型な表示画面１（網掛け部）が配置され、その表示画面１の前面には透明なタッチパネルＴが付いている。そのミシンＭの内部には、図２に示すように、制御装置としてのＣＰＵ３、内部記憶装置としてのＲＯＭ４やＲＡＭ５等を含む電子回路があって、表示の制御やミシンモータ（図略）の制御等を行っている。ミシンＭの右側面には、カード状の外部メモリ６を差し込むためのソケットがあって、ミシンＭの内部の電子回路と電気的に接続可能に構成されている。
【００１１】
このＣＰＵ３は、ＲＯＭ４に記憶された種々の演算プログラム及びミシン独自の枠データに基づき演算を行い、その演算結果をＲＡＭ５の種々の記憶エリアに一時的に記憶し、表示画面１を駆動するＬＣＤモジュール７をその演算結果に基づき制御する。この枠データは、本刺繍ミシンのように大型の表示装置に対して用いられることが予め想定され、その大型の表示装置に適応するように作成されたデータである。このＲＡＭ５には、刺繍模様とその刺繍模様を囲む枠（仕切）からなる選択画面用のキー（以下、単にキーと称す）を表示するための表示データを記憶する外部キーエリア５ａ、キーから枠を取り去った刺繍模様の形象だけ表示するためのデータを記憶する形状記憶エリア５ｂ、本ミシン独自の枠（別の仕切）で刺繍模様を囲むキーを示すデータを記憶する独自キー記憶エリア５ｃ等を有している。そして、ＣＰＵ３は、表示画面１に独自なキーを表示し、選択・入力されたキーの内容をタッチパネルＴの押圧により検出するように構成されている。
【００１２】
外部メモリ６は、刺繍模様の縫い目データを記憶する縫い目データ記憶エリア６ａと、表示データを記憶する表示データ記憶エリア６ｂ等を有している。この外部メモリ６は、本来、上記表示画面１よりも小型な表示画面３９で、刺繍模様やキーなどを表示されることが想定されている。従って、外部メモリ６の表示データ記憶エリア６ａには、タッチパネルＴに対応して表示されるキー１０の範囲を示す枠１０ａを、最も細い細線（１ドット）で表示するデータが予め記憶されている。尚、この外部メモリ６に記憶されたデータに基づく枠１０ａは、刺繍模様の大きさや種類に関係無く１種類である。また、外部メモリ６には複数種類あり、ミシンＭはこの外部メモリ６を取り替えることによって多種多様な刺繍模様を刺繍できるように構成されている。
【００１３】
次に、上述した構成の本発明のミシンＭに、小型の表示画面３９のための表示データを記憶する外部メモリ６を装着した場合の、模様選択画面表示ルーチンについて説明する（図３参照）。
【００１４】
ＣＰＵ３は、まず、外部キーエリア５ａ、形状記憶エリア５ｂ、独自キー記憶エリア５ｃを初期化し、表示データエリア６ｂの最初に読みとられるアドレスに記憶されている「パンダ」について、そのキー（パンダの形象１０ｂとその形象を囲む枠１０ａとからなる選択画面用のキー表示）１０の表示データを読み込んで外部キーエリア５ａに一時的に記憶する（Ｓ１）。そして、ＲＯＭ４に予め記憶させてある上記枠１０ａの内部の範囲（枠１０ａより全周において１ドット小さい領域で枠部分を含まない領域）１２を示すデータと、外部キーエリア５ａに記憶したデータとに基づき、それらのデータによって示される領域についてＡＮＤの論理演算をして、枠１０ａを取り除きパンダ１０ｂの形象だけを示すデータを形状記憶エリア５ｂに一時記憶する（模様抽出：Ｓ２）。
【００１５】
次にＣＰＵ３は、ＲＯＭ４に予め記憶させてある本ミシン独自の表示画面のために設定された枠１６を示すデータと、ＲＡＭ５の形状記憶エリアに一時記憶したパンダ１０ｂの形状を示すデータとに基づき、それらのデータによって表される図形についてＯＲの論理演算をして、本ミシン独自の枠１８ａでパンダ１８ｂを囲む独自の選択キー１８を示すデータを独自キー記憶エリア５ｃに作成して（枠と模様との組み合せ：Ｓ３）、その選択キー１８を表示画面１にＬＣＤモジュール２を介して表示する（Ｓ４）。こうして、外部記憶メモリ６に予め記憶されている枠１０ａがそれより太く影の付けられた本ミシン独自の枠１６に自動的に変換されるので、各キーが浮き立って見え、従来の方法で表示させた図９の画面に比べ立体感が出て見易くなっている。上述した実施の形態では、投影画法により略四角形の枠の下辺及び右辺が上辺及び左辺よりも太くして、大型画面での刺繍模様の識別を容易にしているので、四角形の４辺を全て太くする場合に比べて枠表示のための面積が少なくてすむ。
【００１６】
上記処理が繰り返されると、複数のキーが所定の順番で並んでそれぞれの枠により仕切られて表示される（Ｓ５：Ｎ）。そして、上記処理が２３回（所定回数）繰り返されると、図５に示すにように、表示画面１に最大数（２３個）のキーが表示され、模様選択画面表示ルーチンが終了する（Ｓ５：Ｙ）。この後、ミシンＭはタッチパネルＴの押圧の検出待ち処理を行い、例えば、作業者が所望の刺繍模様の表示部分のタッチパネルＴを押圧すると、その刺繍模様についてより詳細な説明画面が表示され、次に、スタートボタンが押されると、ミシンＭはその選択された刺繍模様の縫い目データを縫い目データ記憶エリア６ａから読み出し縫製を開始する。
【００１７】
尚、上述した実施の形態においては、大型の表示画面のミシンに、小型の表示画面のデータを用いているが、その逆に、小型の表示画面のミシンに、大型の表示画面のデータを用いている場合に、上述のように太い枠１６は小型な表示画面には適さないので、小型の表示画面に適した細い枠１０ａに変換するようにミシンを作成してもよい。また、上述した実施の形態においては、表示画面の大きさが異なるミシンにて共用されるデータについて説明したが、表示画面のドット数の異なるミシンで共用するデータ、キーの大きさの異なるミシンで共用するデータ、キーの形状の異なるミシンで共用するデータについて、それぞれのミシンに適するように枠を変換してよい。
【００１８】
上述した発明の実施の形態では、ミシン独自の枠はデータの形で予めＲＯＭ４に記憶されているが、枠データを自動的に作るプログラムという形で予めＲＯＭ４に記憶されていてもよい。また、ミシン独自の枠は影付き枠である必要はなく、二重線枠などの飾り枠であってもよい。また、ミシンに複数の枠を用意して作業者が選択できるようにしてもよい。また、ミシン独自の１種類以上の枠と外部メモリのそのままの枠を状況に応じて使いわけてもよい。例えば、刺繍模様の一覧を表示するときはミシン独自の枠を使い、刺繍模様が選ばれた後の表示は外部メモリのそのままの枠を使うようにしてもよい。更に、上述した実施の形態では、枠の４辺のうち２辺のみを太くしたが、上述のように表示画面の狭い用のデータをより広い表示画面に用いるのであれば、４辺全て太くしてもよい。
【００１９】
また、上述した実施の形態においては、各ミシンに適した独自の枠のデータをそのミシン自体が内部の記憶装置に記憶しているが、様々な表示装置（ドット数、面積など）や表示形式（画面でのキーの大きさ、形状など）のミシンが先に作成され、その後に外部メモリが作成される場合であれば、その様々な表示装置や表示形式にそれぞれ適する複数の枠の表示データを外部メモリに記憶し、ミシンが複数ある枠の表示データの中からそのミシンの表示装置や表示形式に適したデータを自動的に選択するように構成してもよい（請求項２に関わる縫製情報表示装置）。
【００２０】
上述した実施の形態においては、特に画面の種類について詳細に述べていないが、モノクロの表示装置であっても、カラーの表示装置であっても構わない。例えば、モノクロの表示装置用のデータをカラーの表示装置に用いる場合、カラー表示装置での枠の色は縫製に用いられない色として予め決めておいても良い。また、刺繍模様に用いる色をミシンが自動的に識別可能な場合は、ミシンが識別した色以外の色で枠を表示すればよい。更に、カラーの表示装置用のデータをモノクロの表示装置に用いる場合、枠を刺繍模様と同様に視認可能な状態（地でない方の状態）で表示するようにすればよい。
【００２１】
【発明の効果】
以上説明したことから明らかなように、請求項１記載の縫製情報表示装置によれば、表示形式或いは表示手段が異なる縫製情報表示装置と共用される外部メモリに記憶されたデータに基づく縫製模様を、その外部メモリに記憶された仕切とは別の仕切と共に表示するので、外部メモリに記憶されているデータによる仕切と縫製模様表示手段との適合の否に関わらず、縫製模様表示手段に適した仕切を表示することができ、縫製模様の識別が容易になる。
【００２２】
請求項２記載の縫製情報表示装置によれば、表示形式或いは表示手段が異なる縫製情報表示装置と共用される外部メモリに記憶されたデータに基づく縫製模様を、縫製模様表示手段に適応する仕切と共に表示するので、縫製模様表示手段に適した仕切によって、縫製模様の識別が容易になる。
【００２３】
請求項３記載の縫製情報表示装置によれば、表示形式や表示手段の異なる装置で共用される外部メモリに記憶されたデータに基づく縫製模様を、縫製模様表示手段に適する立体的な仕切で仕切って表示するので、縫製模様の識別が一層容易に行える。
【００２４】
【図面の簡単な説明】
【図１】本発明の大型な表示画面を有するミシンの外観図である。
【図２】上記ミシンの電子的な構成のブロック図である。
【図３】上記ミシンの模様選択画面を表示する処理を示すフローチャートである。
【図４】上記模様選択画面のキー表示を作成する過程を示す説明図である。
【図５】上記模様選択画面を示す図である。
【図６】従来の小型な表示画面を有するミシンの外観図である。
【図７】従来のミシンのキー表示を示す図である。
【図８】従来のミシンの模様選択画面を示す図である。
【図９】従来のミシン用のデータによって表示された大型画面の模様選択画面を示す図である。
【符号の説明】
３ ＣＰＵ
４ ＲＯＭ
５ ＲＡＭ
６ 外部メモリ
【図１】
0003669028.tif 000002
【図２】
0003669028.tif 000003
【図３】
0003669028.tif 000004
【図４】
0003669028.tif 000005
【図５】
0003669028.tif 000006
【図６】
0003669028.tif 000007
【図７】
0003669028.tif 000008
【図８】
0003669028.tif 000009
【図９】
0003669028.tif 000010